【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
環状シロキサンをアザホスファトランと接触させることを含む、環状シロキサンの開環重合によるシロキサンポリマーの合成のためのプロセス。
【請求項２】
前記アザホスファトランが、式：
【化１】
2016524637.tif 000001
［式中、Ｒ9、Ｒ10およびＲ11は、水素、１から１０個の炭素原子を含む直鎖状または分岐アルキル、６から１２個の炭素原子を含む芳香族基、および窒素を含むまたは含まない置換リン基から独立して選ばれ；Ａは、水素、Ｒ12または（Ｒ13Ｒ14Ｐ−Ｎ＝）ｔから選ばれ、ここで、Ｒ12、Ｒ13およびＲ14は、水素、１から１０個の炭素原子を含む直鎖状または分岐アルキル、および６から１２個の炭素原子を含む芳香族基から独立して選ばれ；ｔは１から１０である。］のものである、請求項１に記載のプロセス。
【請求項３】
前記アザホスファトランが下式の化合物
【化２】
2016524637.tif 000002
2016524637.tif 000003
またはその２種以上の組み合わせから選ばれる、請求項２に記載のプロセス。
【請求項４】
式：
【化３】
2016524637.tif 000004
［式中、Ｒ9、Ｒ10およびＲ11は、メチル、イソプロピルまたはイソブチルから独立して選ばれる。］のアザホスファトラン化合物を含む、請求項１−３のいずれかに記載のプロセス。
【請求項５】
(i)前記アザホスファトランが、前記環状シロキサンの合計重量に対して約０．０２５重量パーセントから約５重量パーセントの量で存在する、または(ii) 前記アザホスファトランが、前記環状シロキサンの合計重量に対して約０．１重量パーセントから約０．４重量パーセントの量で存在する、請求項１−４のいずれかに記載のプロセス。
【請求項６】
前記環状シロキサンが、式（Ｒ15Ｒ16ＳｉＯ）n［式中、Ｒ15およびＲ16は、水素または置換されていてもよいアルキル、アルケニル、アリール、８個までの炭素原子を有するアルカリールまたはアラルキル基から独立して選ばれ、ｎは、３から１２の値を有する整数を示す。］のものである、請求項１−５のいずれかに記載のプロセス。
【請求項７】
前記環状シロキセンが、オクタメチルシクロテトラシロキサン（Ｄ４）、ヘキサメチルシクロトリシロキサン（Ｄ３）、オクタフェニルシクロテトラシロキサン、テトラメチルシクロテトラシロキサン、テトラメチルテトラビニルシクロテトラシロキサン、ヘキサメチル−１，１−ジフェニルシクロテトラシロキサン、デカメチルペンタシクロシロキサン、シクロペンタ（メチルビニル）シロキサン、シクロテトラ（フェニルメチル）シロキサン、シクロペンタメチルヒドロシロキサンまたはその２種以上の組み合わせから選ばれる、請求項１−６のいずれかに記載のプロセス。
【請求項８】
２種以上の環状シロキサンを、シラノールまたはメチル末端ポリ（ジメチルシロキサン）と一緒に含み、ここで、少なくとも２種の環状シロキサンが互いに異なる環の大きさを有する、請求項１−７のいずれかに記載のプロセス。
【請求項９】
ヘキサメチルジシロキサン；オクタメチルトリシロキサン；デカメチルテトラシロキサン；ドデカメチルペンタシロキサン；テトラデカメチルヘキサシロキサン；ヘキサデカメチルヘプタシロキサン、またはその２種以上の組み合わせから選ばれる末端ブロッカー材料を加えることを含む、請求項１−８のいずれかに記載のプロセス。
【請求項１０】
反応後に約１００℃以上の温度で前記プロセスの生成物を加熱することと；前記生成物を水で処理することと；前記生成物中に二酸化炭素を泡立たせることと；触媒を中和する材料で前記生成物を処理することと、またはその２種以上の組み合わせにより前記触媒を失活させることをさらに含む、請求項１−９のいずれかに記載のプロセス。
【請求項１１】
反応混合物を濾過することおよび任意で前記濾過された反応混合物を炭で処理することをさらに含む、請求項１０に記載のプロセス。
【請求項１２】
（Ａ）少なくとも反応性シリル基を有するポリマー；
（Ｂ）架橋剤または鎖伸長剤；
（Ｃ）アザホスファトラン化合物を含む触媒；および
（Ｄ）任意選択の接着促進剤を含む、
硬化ポリマー組成物を形成するための組成物。
【請求項１３】
前記アザホスファトランが、式：
【化４】
2016524637.tif 000005
［式中、Ｒ9、Ｒ10およびＲ11は、水素、１から１０個の炭素原子を含む直鎖状または分岐アルキル、６から１２個の炭素原子を含む芳香族基、および窒素を含むまたは含まない置換リン基から独立して選ばれ；Ａは、水素、Ｒ12または（Ｒ13Ｒ14Ｐ−Ｎ＝）ｔから選ばれ、ここで、Ｒ12、Ｒ13およびＲ14は、水素、１から１０個の炭素原子を含む直鎖状または分岐アルキル、および６から１２個の炭素原子を含む芳香族基から独立して選ばれ；ｔは１から１０である。］のものである、請求項１２に記載の組成物。
【請求項１４】
前記アザホスファトランが、式：
【化５】
2016524637.tif 000006
の化合物またはその２種以上の組み合わせから選ばれる、請求項１３に記載の組成物。
【請求項１５】
前記ポリマー（Ａ）１００重量部当たり約０．０１から約７重量部の前記触媒（Ｃ）を含む、請求項１２−１４のいずれかに記載の組成物。
【請求項１６】
前記ポリマー（Ａ）が、式
［Ｒ1aＲ23-aＳｉ−Ｚ−］n−Ｘ−Ｚ−ＳｉＲ1aＲ23-a
［式中、Ｘは、ポリウレタン；ポリエステル；ポリエーテル；ポリカルボナート；ポリオレフィン；ポリエステルエーテル；およびＲ3ＳｉＯ1/2、Ｒ2ＳｉＯ、ＲＳｉＯ3/2、および／またはＳｉＯ2の単位を有するポリオルガノシロキサンから選ばれ、
ｎは０から１００であり、
ａは０から２であり、
ＲおよびＲ1は同じＳｉ原子で同一でも異なっていてもよく、Ｃ1−Ｃ10アルキル；１個または複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ばれ、
Ｒ2は、ＯＨ、Ｃ1−Ｃ8アルコキシ、Ｃ2−Ｃ18アルコキシアルキル、オキシモアルキル、エノキシアルキル、アミノアルキル、カルボキシアルキル、アミドアルキル、アミドアリール、カルバマトアルキル、またはその２種以上の組み合わせから選ばれ、
Ｚは、結合、Ｃ1−Ｃ8アルキレンまたはＯの群から選択される二価単位である。］を有する、請求項１２−１５のいずれかに記載の組成物。
【請求項１７】
前記架橋剤成分（Ｂ）が、オルトケイ酸テトラエチル（ＴＥＯＳ）；メチルトリメトキシシラン（ＭＴＭＳ）；メチルトリエトキシシラン；ビニルトリメトキシシラン；ビニルトリエトキシシラン；メチルフェニルジメトキシシラン；３，３，３−トリフルオロプロピルトリメトキシシラン；メチルトリアセトキシシラン；ビニルトリアセトキシシラン；エチルトリアセトキシシラン；ジ−ブトキシジアセトキシシラン；フェニルトリプロピオノキシシラン；メチルトリス（メチルエチルケトオキシモ）シラン；ビニルトリス（メチルエチルケトオキシモ）シラン；３，３，３−トリフルオロプロピルトリス（メチルエチルケトオキシモ）シラン；メチルトリス（イソプロペンオキシ）シラン；ビニルトリス（イソプロペンオキシ）シラン；ポリケイ酸エチル；ジメチルテトラアセトキシジシロキサン；オルトケイ酸テトラ−ｎ−プロピル；メチルジメトキシ（エチルメチルケトオキシモ）シラン；メチルメトキシビス（エチルメチルケトオキシモ）シラン；メチルジメトキシ（アセトアルドキシモ）シラン；メチルジメトキシ（Ｎ−メチルカルバマト）シラン；エチルジメトキシ（Ｎ−メチルカルバマト）シラン；メチルジメトキシイソプロペンオキシシラン；トリメトキシイソプロペンオキシシラン；メチルトリイソプロペンオキシシラン；メチルジメトキシ（ブタ−２−エン−２−オキシ）シラン；メチルジメトキシ（１−フェニルエテンオキシ）シラン；メチルジメトキシ−２−（１−カルボエトキシプロペンオキシ）シラン；メチルメトキシジ（Ｎ−メチルアミノ）シラン；ビニルジメトキシ（メチルアミノ）シラン；テトラ−Ｎ，Ｎ−ジエチルアミノシラン；メチルジメトキシ（メチルアミノ）シラン；メチルトリ（シクロヘキシルアミノ）シラン；メチルジメトキシ（エチルアミノ）シラン；ジメチルジ（Ｎ，Ｎ−ジメチルアミノ）シラン；メチルジメトキシ（イソプロピルアミノ）シラン；ジメチルジ（Ｎ，Ｎ−ジエチルアミノ）シラン；エチルジメトキシ（Ｎ−エチルプロピオンアミド）シラン；メチルジメトキシ（Ｎ−メチルアセトアミド）シラン；メチルトリス（Ｎ−メチルアセトアミド）シラン；エチルジメトキシ（Ｎ−メチルアセトアミド）シラン；メチルトリス（Ｎ−メチルベンズアミド）シラン；メチルメトキシビス（Ｎ−メチルアセトアミド）シラン；メチルジメトキシ（カプロラクタモ）シラン；トリメトキシ（Ｎ−メチルアセトアミド）シラン；メチルジメトキシ（エチルアセトイミダト）シラン；メチルジメトキシ（プロピルアセトイミダト）シラン；メチルジメトキシ（Ｎ，Ｎ’，Ｎ’−トリメチルウレイド）シラン；メチルジメトキシ（Ｎ−アリル−Ｎ’，Ｎ’−ジメチルウレイド）シラン；メチルジメトキシ（Ｎ−フェニル−Ｎ’，Ｎ’−ジメチルウレイド）シラン；メチルジメトキシイソシアナトシラン；ジメトキシジイソシアナトシラン；メチルジメトキシイソチオシアナトシラン；メチルメトキシジイソチオシアナトシラン、またはその２種以上の組み合わせから選ばれる、請求項１２−１６のいずれかに記載の組成物。
【請求項１８】
前記接着促進剤成分（Ｄ）が、（アミノアルキル）トリアルコキシシラン、（アミノアルキル）アルキルジアルコキシシラン、ビス（トリアルコキシシリルアルキル）アミン、トリス（トリアルコキシシリルアルキル）アミン、トリス（トリアルコキシシリルアルキル）シアヌラート、およびトリス（トリアルコキシシリルアルキル）イソシアヌラート、（エポキシアルキル）アルキルジアルコキシシラン、（エポキシアルキル）トリアルコキシシラン、またはその２種以上の組み合わせから選ばれる、請求項１２−１７のいずれかに記載の組成物。
【請求項１９】
前記ポリマー成分（Ａ）が、式：
Ｒ23-aＲ1aＳｉ−Ｚ−［Ｒ2ＳｉＯ］x［Ｒ12ＳｉＯ］y−Ｚ−ＳｉＲ1aＲ23-a
［式中、
ｘは０から１００００であり；
ｙは０から１０００であり；
ａは０から２であり；
Ｒはメチルであり；
Ｒ1は、Ｃ1−Ｃ10アルキル；１個または複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ばれ、他のシロキサン単位は１０ｍｏｌ％未満の量で存在してもよく；
Ｒ2は、ＯＨ、Ｃ1−Ｃ8アルコキシ、Ｃ2−Ｃ18アルコキシアルキル、オキシモアルキル、オキシモアリール、エノキシアルキル、エノキシアリール、アミノアルキル、アミノアリール、カルボキシアルキル、カルボキシアリール、アミドアルキル、アミドアリール、カルバマトアルキル、カルバマトアリール、またはその２種以上の組み合わせから選ばれ；
Ｚは−Ｏ−、結合または−Ｃ2Ｈ4−である。］を有する、請求項１２−１８のいずれかに記載の組成物。
【請求項２０】
(i)一液組成物、または(ii)第１の部分（Ｐ１）および第２の部分（Ｐ２）を含む二液組成物として提供される、請求項１２−１９のいずれかに記載の組成物。
【請求項２１】
１００重量部の成分（Ａ）と、
０．１から約１０重量部の少なくとも１種の架橋剤（Ｂ）と、
０．０１から約７重量部の前記アザホスファトラン（Ｃ）と、
０．１から約５重量部のアミノ含有接着促進剤（Ｄ）と、
０から約３００重量部の充填剤（Ｅ）と、
０から約７重量部の酸性成分（Ｆ）と、
０．０１から約１５重量部の成分（Ｇ）とを含み、
湿分のない状態で貯蔵することができ、環境空気への曝露で湿分の存在下で硬化性となる、請求項１２−２０のいずれかに記載の組成物。
【請求項２２】
請求項１２−２０のいずれかに記載の前記組成物を環境空気へ曝露することを含む、硬化物を提供する方法。
【請求項２３】
前記第１の部分および前記第２の部分を合わせることと、前記混合物を硬化させることとを含む、請求項２０に記載の二液組成物から硬化物を提供する方法。
【請求項２４】
エラストマーシール、熱硬化性樹脂シール、接着剤、塗膜、封止剤、成形物品、型または印象材の形態の、請求項１２−２３のいずれかに記載の前記組成物または方法から形成された硬化ポリマー。